(57)【要約】【課題】  圧着端子の接触不良を防止しつつ、圧着端子をより容易に仮固定できる端子台を提供する。【解決手段】  帯板状の導電部に、係合溝が形成された圧着端子を圧着部材を用いて固定する端子台であって、導電部にスライド自在に連結され、導電部との間に挟入された圧着端子を仮固定する仮固定部を備え、仮固定部は、導電部の一方の面に向けて突出し、導電部との間に挟入された圧着端子の係合溝に係合することで、圧着端子の移動を規制して圧着端子を仮固定する突出部と、導電部の他方の面との間に設けられ、突出部を付勢可能な突出付勢部とを有する。【選択図】  図２
2014127448.tif 000002
【特許請求の範囲】
【請求項１】
帯板状の導電部に、係合溝が形成された圧着端子を圧着部材を用いて固定する端子台であって、
導電部にスライド自在に連結され、導電部との間に挟入された圧着端子を仮固定する仮固定部を備え、仮固定部は、導電部の一方の面に向けて突出し、導電部との間に挟入された圧着端子の係合溝に係合することで、圧着端子の移動を規制して圧着端子を仮固定する突出部と、導電部の他方の面との間に設けられ、突出部を付勢可能な突出付勢部とを有することを特徴とする端子台。
【請求項２】
仮固定部は、挟入された圧着端子を導電部との間で挟持する板状の挟持部と、挟持部に接続されて、導電部にスライド自在に連結される板状の脚部と、脚部に接続されて、突出付勢部の付勢を受ける板状の腕部とを有し、突出部は、導電部の一方の面に対向する挟持部の面に設けられることを特徴とする請求項１に記載の端子台。
【請求項３】
導電部が突出部の突出位置に対向する位置に貫通孔を有しており、仮固定部は、腕部から導電部の他方の面に向けて付勢され貫通孔を介して突出部に当接する長尺状の当接部をさらに有することを特徴とする請求項１又は２に記載の端子台。
【請求項４】
導電部、圧着部材、及び仮固定部を収容する基部をさらに備え、仮固定部は、基部及び腕部の間に設けられ、腕部を導電部の他方の面に向けて付勢する腕部付勢部をさらに有し、腕部付勢部は、突出付勢部が当接部を付勢する力よりも弱い力で腕部を付勢することを特徴とする請求項１乃至３のいずれか一項に記載の端子台。
【発明の詳細な説明】
【技術分野】
【０００１】
本発明は、端子台に関し、特に、帯板状の導電部に、先端に係合溝が形成された圧着端子を圧着部材を用いて固定する端子台に関する。
【背景技術】
【０００２】
従来、端子台は、複数の導体間の相互接続を容易にするために、絶縁性のハウジング又は基台に端子を組み付けている。端子台は、複数の導体を接続、中継、又は分岐できる。一般に、端子台は、導電金具を基台に設けて構成されている。そして、電線の端末に結線された圧着端子が端子ネジで導電金具にネジ止めされ、圧着端子及び導電金具を電気的に接続している。
【０００３】
このような端子台としては、圧着端子と導電金具との接続作業を容易にするために、導電金具に設けた雌ネジ部から端子ネジを離間した状態で支持するように構成した、いわゆるネジアップ式の端子台が知られている（例えば、特許文献１参照）。
【０００４】
特許文献１による端子台は、圧縮コイルばねなどの付勢手段が雌ネジ部から端子ネジを離間するように、常時、力を付勢しているので、端子ネジの先端部が雌ネジ部から容易に離間できるというメリットがある。
【０００５】
しかし、特許文献１による端子台は、端子ネジの先端部が雌ネジ部に極めて近接した状態、いわゆる仮止め（仮固定）状態を維持するのが困難であるという不具合がある。したがって、端子ネジのネジ部が丸型圧着端子の開口（スタッドホール）に貫通することなく、丸型圧着端子の端部を端子ネジで導電金具と挟持するなど、接続不良を発生しかねないという不具合がある。また、接続不良が発生せずとも、径年により圧着端子が外れてしまい、不具合を発生することがある。
【０００６】
このような不具合を解消するため、端子ネジの仮固定状態を維持できるとともに、端子ネジと雌ネジ部との螺合を解除すると、端子ネジが雌ネジ部から十分に離間した状態、いわゆるトップ位置に端子ネジを復帰できる端子台が知られている（例えば、特許文献２参照）。
【０００７】
特許文献２による端子台は、端子ネジを保持する保持金具を備え、コイルバネによって上方向に付勢された保持金具の突起が係止凸部と係合することで、端子ネジの仮固定を可能とするものである。
【０００８】
そして、端子ネジを導電金具の雌ネジ部と螺合させるために、仮固定位置から雌ネジ部上に移動させる際には、上下方向に沿って形成された案内溝に保持金具の突起が嵌ることになる。逆に、雌ネジ部に対する端子ネジの螺合を解除して取り外す場合には、コイルバネの付勢により上下方向に沿って端子ネジがトップ位置に復帰できる。
【０００９】
しかしながら、特許文献２による端子台は、トップ位置から端子ネジを押し下げる押し下げ動作に伴って、保持金具が正立姿勢から傾斜姿勢に移行する第１の姿勢変化と、端子ネジの仮固定位置から端子ネジの先端を雌ネジ部の入口に移動させる動作に伴って、保持金具が傾斜姿勢から正立姿勢に復帰する第２の姿勢変化とを、端子ネジの頭部に係合する工具（ドライバ）の操作に多くを依存するという問題がある。
【００１０】
このような工具を利用せず、端子ネジを導電部材に近接させた状態に維持することで、端子ネジの先端と導電部材とで、圧着端子を仮固定する端子台が知られている（例えば、特許文献３参照）。このように、容易に圧着端子を仮固定し得ることは、圧着端子の接触不良を防止する観点から非常に有用である。そして、圧着端子をより容易に仮固定することができれば、さらに有用である。特に、二段端子構成等で端子ネジが隠れてしまうような端子台においては、作業領域が非常に限られるため、圧着端子をより容易に仮固定することができ、圧着端子の接触不良を防止することは非常に有用である。
【先行技術文献】
【特許文献】
【００１１】
【特許文献１】特開２０００−６７９４６号公報
【特許文献２】特開２００８−１０３２３０号公報
【特許文献３】特開２０１１−３２９５号公報
【発明の概要】
【発明が解決しようとする課題】
【００１２】
本発明は、斯かる事情に鑑み、圧着端子の接触不良を防止しつつ、圧着端子をより容易に仮固定できる端子台を提供することを課題とする。
【課題を解決するための手段】
【００１３】
本発明に係る端子台は、帯板状の導電部に、係合溝が形成された圧着端子を圧着部材を用いて固定する端子台であって、導電部にスライド自在に連結され、導電部との間に挟入された圧着端子を仮固定する仮固定部を備え、仮固定部は、導電部の一方の面に向けて突出し、導電部との間に挟入された圧着端子の係合溝に係合することで、圧着端子の移動を規制して圧着端子を仮固定する突出部と、導電部の他方の面との間に設けられ、突出部を付勢可能な突出付勢部とを有することを特徴とする。
【００１４】
本発明に係る端子台によれば、圧着端子が端子台に固定されるとき、圧着端子は、導電部及び位置決定部の間に挟入される。そして、圧着端子が、導電部に対して固定するのに適正な位置に挟入されると、突出部は、圧着端子の係合溝に係合する。また、突出部が突出付勢部により導電部を付勢可能であるので、仮固定部は、導電部とで圧着端子を挟持可能となっている。これにより、突出部は、圧着端子の挟入方向への移動を規制して、圧着端子を仮固定できる。その後、圧着部材を用いて圧着端子が固定されることで、圧着端子は端子台に固定される。圧着端子が圧着部材で固定される前に突出部により仮固定されるとともに、突出部が導電部の一方の面に向けて付勢可能であるので、圧着端子が仮固定されているか否かを確実に確認できる。よって、圧着端子は、端子台に確実に固定され得る。
【００１５】
本発明に係る端子台において、仮固定部は、挟入された圧着端子を導電部との間で挟持する帯板状の挟持部と、挟持部に接続されて、導電部にスライド自在に連結される板状の脚部と、脚部に接続されて、突出付勢部の付勢を受ける板状の腕部とを有し、突出部は、導電部の一方の面に対向する挟持部の面に設けられてもよい。
【００１６】
かかる構成によれば、脚部は、導電部にスライド自在に連結されているので、挟持部の導電部から離間又は接近する方向への移動を許す。圧着端子が仮固定部と導電部との間に挟入されると、突出部は、圧着端子の端子部分の先端に当接する。圧着端子が導電部と挟持部との間にさらに挟入されると、挟持部は、突出部の長さと、端子部分の厚さとに応じて、導電部から離間する方向に移動する。そして、圧着端子が導電部と挟持部との間に挟入されると、突出部は、導電部の面方向に直交する方向で、係合溝と重なる。腕部が突出付勢部の付勢を受けることから、突出部は、係合溝に係合する方向に付勢される。これにより、突出部は、係合溝に係合することで、圧着端子を仮固定する。挟持部は、突出部と同様に付勢されるので、導電部とで圧着端子を挟持する。このように、圧着端子は、導電部及び挟持部の間への挟入のみにより端子台に仮固定され得る。したがって、圧着端子の仮固定が、簡単な作業のみで実現され得る。
【００１７】
また、本発明に係る端子台において、導電部が突出部の突出位置に対向する位置に貫通孔を有しており、仮固定部は、脚部から導電部の他方の面に向けて付勢され貫通孔を介して突出部に当接する長尺状の当接部をさらに有してもよい。
【００１８】
かかる構成によれば、圧着端子が導電部と挟持部との間に挿入される前には、当接部は、突出付勢部により脚部から導電部の他方の面に付勢され、貫通孔を介して突出部に当接する。圧着端子が導電部及び挟持部の間で突出部の位置まで挟入されると、突出部は、突出部の長さと、圧着端子の端子部分の厚さとに応じて導電部の一方の面から離間する方向に移動する。また、当接部の先端部分は、圧着端子の端子部分に押される形で、導電部の貫通孔内に押し込まれる。そして、圧着端子の係合溝が突出部の位置まで挟入されると、突出部及び当接部は、突出付勢部の付勢により、圧着端子の係合溝を介して再び当接する。これにより、突出部及び当接部は、協働して圧着端子を端子台に仮固定する。したがって、圧着端子の仮固定が、簡単な作業のみで実現され得るとともに、仮固定を強固なものとして、仮固定が確実にされたか否かが容易に判断され得る。
【００１９】
また、本発明に係る端子台は、導電部、圧着部材、及び仮固定部を収容する基部をさらに備え、仮固定部は、基部及び腕部の間に設けられ、脚部を導電部の他方の面に向けて付勢する腕部付勢部をさらに有し、腕部付勢部は、突出付勢部が当接部を付勢する力よりも弱い力で脚部を付勢してもよい。
【００２０】
かかる構成によれば、腕部付勢部が突出付勢部よりも弱い力で脚部を付勢することにより、圧着端子が導電部及び挟持部の間に挟入されていない状態では、突出付勢部の付勢により、突出部と当接部とが当接した状態に維持される。一方、圧着端子が導電部及び挟持部の間に挟入され、圧着端子の端子部分が突出部の位置まで挟入されると、突出部は、腕部付勢部の付勢により、導電部から離間する方向に容易に移動する。そして、圧着端子の係合溝が当接部の位置まで挟入されると、突出部及び当接部は、係合溝を介して当接した状態に維持される。これにより、圧着端子の挟入が容易に実現され得るとともに、仮固定を強固なものとして、仮固定が確実にされたか否かが容易に判断され得る。
【発明の効果】
【００２１】
以上の如く、本発明に係る端子台によれば、圧着端子の接触不良を防止しつつ、圧着端子をより容易に仮固定できるというすぐれた効果を奏する。
【図面の簡単な説明】
【００２２】
【図１】本発明の第１実施形態に係る端子台を連設した多極型端子台の概略斜視図を示す。
【図２】同実施形態に係る端子台の概略正面図を示す。
【図３】同実施形態に係る圧着端子を挟入する際の端子台の概略正面図を示す。
【図４】同実施形態に係る圧着端子を導電部及び挟持部の間に挟入した端子台の概略正面図を示す。
【図５】同実施形態に係る圧着端子の係合溝に突出部が係合した端子台の概略正面図を示す。
【図６】同実施形態に係る端子ネジで圧着端子を固定した端子台の概略正面図を示す。
【図７】第２実施形態に係る端子台の概略正面図を示す。
【図８】同実施形態に係る圧着端子を挟入する際の端子台の概略正面図を示す。
【図９】同実施形態に係る圧着端子を導電部及び挟持部の間に挟入した端子台の概略正面図を示す。
【図１０】同実施形態に係る圧着端子の係合溝に突出部が係合した端子台の概略正面図を示す。
【図１１】同実施形態に係る端子ネジで圧着端子を固定した端子台の概略正面図を示す。
【発明を実施するための形態】
【００２３】
まず、本実施形態に係る端子台の各構成を説明するのに先立って、図３を参照して、圧着端子について説明する。
【００２４】
図３に示すように、圧着端子５２は、電線５１の先端に取り付けられて、端子台１に固定される部分である。圧着端子５２は、板状に形成され、実際に端子台１に圧着される端子部分５２１と、突起等の突出部２０１に係合される係合溝５２２とを備える。端子部分５２１は、導電性の材料で形成され、端子台１に固定されることで、端子台１に電気的に接続される。係合溝５２２は、圧着端子５２を端子台１に確実に固定するために設けられ、例えば、圧着端子５２の板厚方向に貫通する貫通孔や、板厚方向に交差する方向に切り欠けられた切り欠け溝（Ｕ字溝）として設けられる。圧着端子５２が変電所等で用いられる場合には、圧着端子５２が確実に端子台に固定されるように、係合溝５２２は、貫通孔として設けられる。以下の実施形態では、圧着端子５２は、係合溝５２２として貫通孔を有するものとして説明されるが、切り欠け溝である係合溝５２２を有する圧着端子５２であってもよい。
【００２５】
次に、本発明に係る端子台における第１の実施形態について、図１〜図６を参照して説明する。
【００２６】
端子台１は、複数連設され、例えば、図１に示すように多極型端子台１００として利用される。多極型端子台１００では、それぞれの端子台１に圧着端子５２が接続されることで、複数の電線５１の中継等を可能にするものである。
【００２７】
図２に示すように、端子台１は、帯板状の導電部１０と、導電部１０にスライド自在に連結され、導電部１０との間に挟入された圧着端子５２を仮固定する仮固定部２０を備える。また、端子台１は、圧着端子５２を圧着して固定可能な圧着部材を有する圧着部３０を有する。また、端子台１は、導電部１０、仮固定部２０、及び保持部３０１を収容する基部４０を備える。なお、本実施形態において、端子台１は、圧着端子５２を固定していない状態で、導電部１０の長手方向中間点を通り、両面に直交する線分で線対称となるように、導電部１０、仮固定部２０、保持部３０１、及び基部４０を備えている。以下、本実施形態においては、線対称となる一方の構成について詳細に説明する。
【００２８】
導電部１０は、例えば金属等の導電性の材料で形成され、基部４０に固定されて設けられる。導電部１０は、圧着端子５２の係合溝５２２を固定すべき位置に、板厚方向に貫通する貫通孔１０１を有する。また、導電部１０は、幅方向一端から他端に向けて図示しない切り込みを有する。図示しない切り込みは、導電部１０の長手方向における貫通孔１０１の位置に対して、より中央側に位置するように設けられる。図示しない切り込みは、仮固定部２０を連結することで、導電部１０のそれぞれの面に対して直交する方向にスライド自在に仮固定部２０を保持する。
【００２９】
仮固定部２０は、導電部１０の一方の面に向けて突出し、導電部１０との間に挟入された圧着端子５２の係合溝５２２に係合することで、圧着端子５２の移動を規制して圧着端子５２を仮固定する突出部２０１と、導電部１０の他方の面との間に設けられ、突出部２０１を付勢可能な突出付勢部２０５とを有する。また、仮固定部２０は、挟入された圧着端子５２を導電部１０との間で挟持する板状の挟持部２０２と、挟持部２０２に接続されて、導電部１０にスライド自在に連結される板状の脚部２０３と、脚部２０３に接続されて、突出付勢部２０５の付勢を受ける板状の腕部２０４とを有する。
【００３０】
突出部２０１は、剛性のある材料で形成される。突出部２０１は、導電部１０の一方の面に対向する挟持部２０２の一面に設けられる。突出部２０１は、導電部１０に対する圧着端子５２の固定位置に合わせて設けられる。具体的に、突出部２０１は、導電部１０の貫通孔１０１の位置に合わせて設けられる。そして、突出部２０１は、圧着端子５２の係合溝５２２と同径又はそれ以下の径で突出して構成される。突出部２０１が貫通孔１０１以下の径である場合、突出部２０１は、圧着端子５２の端子部分５２１を位置決めできる程度の径を有する。
【００３１】
また、突出部２０１は、突出方向先端を面取りされた形状で構成される。具体的に、突出部２０１は、突出方向先端を半球形状で構成される。また、仮固定部２０が導電部１０と連結された状態で、突出部２０１は、導電部１０及び挟持部２０２の間に挟入される圧着端子５２の先端に、突出方向先端の半球形状の表面を当接可能に位置される。すなわち、仮固定部２０が導電部１０と連結された状態で、突出部２０１は、貫通孔１０１の導電部１０の一方の面側の端縁から、突出方向先端の半球形状の基端部を圧着端子５２の厚さ以上且つ突出方向先端端縁を圧着端子５２の厚さ未満で離間して配置される。これにより、圧着端子５２が導電部１０及び挟持部２０２の間に挟入されたときに、突出部２０１が、容易に端子部分５２１を越えて、貫通孔１０１の位置に係合され得る。したがって、圧着端子５２の仮固定部２０への仮固定の作業を容易にすることができる。また、圧着端子５２が端子台１から取り外される場合においても、突出部２０１は、容易に端子部分５２を越えて、貫通孔１０１への係合から解除され得る。
【００３２】
突出付勢部２０５は、例えば、弾性体であり、ゴムやバネ等で構成され得る。本実施形態においては、突出付勢部２０５は、コイルバネとして説明される。突出付勢部２０５は、長手方向一端で導電部１０の他方の面に当接し又は取り付けられ、長手方向他端で腕部２０４に当接し又は取り付けられる。本実施形態において、圧着端子５２が導電部１０及び挟持部２０２の間に挟入され、圧着端子５２の端子部分５２１が突出部２０１の位置に重なると、突出付勢部２０５は、突出部２０１及び挟持部２０２を導電部１０の一方の面に向けて付勢する。つまり、突出付勢部２０５は、突出部２０１を導電部１０の貫通孔１０１に嵌入する方向に付勢する。
【００３３】
挟持部２０２は、剛性を有し、導電性材料で形成される。挟持部２０２は、その一端で脚部２０３に接続される。すなわち、挟持部２０２は、脚部２０３に対して片持ち梁状に接続される。挟持部２０２は、圧着端子５２の挟入側他端（すなわち、脚部２０３に接続される一端に対向する他端）において、導電部１０の一方の面から離間する方向に傾斜している。これにより、挟持部２０２は、導電部１０及び挟持部２０２の間への圧着端子５２の挟入に際し、導電部１０及び挟持部２０２の間への位置合わせを容易にする。
【００３４】
脚部２０３は、挟持部２０２と同様に剛性を有し、導電性材料で板状に形成される。脚部２０３は、その一端で挟持部２０２に接続され、他端で腕部２０４に接続される。脚部２０３は、導電部１０の図示しない切り込みに、導電部１０のそれぞれの面に直交する方向にスライド自在に連結される。これにより、脚部２０３は、挟持部２０２及び脚部２０３を導電部１０のそれぞれの面に対して直交する方向にスライド自在にしている。脚部２０３は、それぞれの面のスライド方向に直交する方向の長さ（幅）を、図示しない切り込みの長さに合わせた長さ（幅）で形成されてもよい。本実施形態において、脚部２０３は、挟持部２０２の面に直交する方向にスライド方向（面方向）を合わせて接続される。
【００３５】
腕部２０４は、挟持部２０２及び脚部２０３と同様に剛性を有し、導電性材料で形成される。脚部２０３は、その一端で脚部２０３に接続される。すなわち、腕部２０４は、脚部２０３に対して片持ち梁状に接続される。本実施形態において、腕部２０４は、脚部２０３のスライド方向に対して、直交する方向に面方向を合わせて接続される。
【００３６】
圧着部３０は、導電部１０との間で圧着端子５２を挟持する挟持部２０２を圧着可能に構成される。本実施形態において、圧着部３０は、挟持部２０２を導電部１０の一方の面に向けて押圧可能に設けられる。すなわち、圧着部３０は、導電部１０の一方の面に対向する挟持部２０２の面（以下、挟持部２０２の他方の面とする）に対して、対向する面（以下、挟持部２０２の一方の面とする）を押圧可能に設けられる。具体的に、圧着部３０は、挟持部２０２の一方の面側に設けられ、該面を押圧可能に設けられる。特に、本実施形態において、圧着部３０は、端子ネジ３０２と、端子ネジ３０２を螺合可能な雌ネジを有する板状の保持部３０１を有する。なお、端子ネジ３０２及び雌ネジは、導電部１０の貫通孔１０１の軸と突出部２０１の軸との延長線上に軸が位置するように配置される。
【００３７】
基部４０は、絶縁性材料で形成され、導電部１０、仮固定部２０、及び圧着部３０を位置決めして収容する。基部４０は、連設された端子台１において、隣接する端子台１同士を隔絶する隔壁として機能する。
【００３８】
本実施形態に係る端子台１の構成については以上の通りであり、次に、本実施形態に係る端子台１の作用について説明する。
【００３９】
図２に示すように、圧着端子５２を挟持（圧着）しない状態の端子台１では、突出付勢部２０５の付勢により、突出部２０１は、導電部１０の貫通孔１０１に嵌入されない状態、すなわち、突出部２０１は、導電部１０の一方の面から離間した状態に維持される。また、端子ネジ３０２は、挟持部２０２から離間した状態に維持される。
【００４０】
図３に示すように、圧着端子５２が端子台１に固定される際、圧着端子５２は、導電部１０の一方の面と、挟持部２０２との間に位置される。そして、圧着端子５２は、導電部１０及び挟持部２０２の間に挟入される。
【００４１】
図４に示すように、圧着端子５２の端子部分５２１の先端が突出部２０１の位置まで挟入されると、突出部２０１は、圧着端子５２の端子部分５２１の先端の厚さに応じて、導電部１０の一方の面から離間する方向に移動する。このとき、突出部２０１の先端が面取りされている（半球状に形成されている）ことから、圧着端子５２の端子部分５２１の先端は、突出部２０１を導電部１０の一方の面から離間する方向に容易に移動し得る。これにより、圧着端子５２は、導電部１０及び挟持部２０２の間に容易に挟入される。また、このとき、圧着端子５２が導電部１０の面方向に対して傾いて挟入されたとしても、突出付勢部２０５が突出部２０１を導電部１０の一方の面に向かう方向に付勢するとともに、突出部２０１の先端が面取りされていることから、突出部２０１は、圧着端子５２を導電部１０の一方の面に押し付ける。これにより、突出部２０１は、圧着端子５２を導電部１０の一方の面に押し付けた状態にできる。
【００４２】
図５に示すように、圧着端子５２の係合溝５２２が導電部１０の貫通孔１０１及び突出部２０１に重なる位置まで挟入されると、突出付勢部２０５の付勢により、腕部２０４は、導電部１０の他方の面に対して離間する方向に移動する。これに伴い、脚部２０３は、導電部１０の一方の面から他方の面に向けてスライドする。また、挟持部２０２は、導電部１０の一方の面に接近する方向に移動する。突出部２０１は、導電部１０の一方の面に接近する方向に移動する。これにより、突出部２０１は、圧着端子５２の係合溝５２２に嵌入する。したがって、突出部２０１は、圧着端子５２の係合溝５２２に係合する。
【００４３】
この状態で、突出付勢部２０５の付勢作用により、突出部２０１は、圧着端子５２の係合溝５２２に係合した状態に維持される。したがって、圧着端子５２は、導電部１０及び挟持部２０２の間に挟持された状態に維持され、仮固定される。
【００４４】
図６に示すように、端子ネジ３０２が雌ネジに対して螺合されると、端子ネジ３０２の先端は、挟持部２０２の一方の面を押圧する。これにより、圧着端子５２は、端子台１に固定される。
【００４５】
以上より、本実施形態に係る端子台１は、帯板状の導電部１０に、係合溝５２２が形成された圧着端子５２を圧着部材を用いて固定する端子台１であって、導電部１０にスライド自在に連結され、導電部１０との間に挟入された圧着端子５２を仮固定する仮固定部２０を備え、仮固定部２０は、導電部１０の一方の面に向けて突出し、導電部１０との間に挟入された圧着端子５２の係合溝５２２に係合することで、圧着端子５２の移動を規制して圧着端子５２を仮固定する突出部２０１と、導電部１０の他方の面との間に設けられ、突出部２０１を付勢可能な突出付勢部２０５とを有する。
【００４６】
かかる構成によれば、圧着端子５２が端子台１に固定されるとき、圧着端子５２は、導電部１０及び位置決定部の間に挟入される。そして、圧着端子５２が、導電部１０に対して固定するのに適正な位置に挟入されると、突出部２０１は、圧着端子５２の係合溝５２２に係合する。また、突出部２０１が突出付勢部２０５により導電部１０の一方の面に向けて付勢可能であるので、仮固定部２０は、導電部１０とで圧着端子５２を挟持可能となっている。これにより、突出部２０１は、圧着端子５２の挟入方向への移動を規制して、圧着端子５２を仮固定できる。その後、締結ネジを用いて圧着端子５２が固定されることで、圧着端子５２は端子台１に固定される。圧着端子５２が圧着部材で固定される前に突出部２０１により仮固定されるとともに、突出部２０１が導電部１０の一方の面に向けて付勢されるので、圧着端子５２が仮固定されているか否かを確実に確認できる。よって、圧着端子５２は、端子台１に確実に固定され得る。
【００４７】
本実施形態に係る端子台１において、仮固定部２０は、挟入された圧着端子５２を導電部１０との間で挟持する帯板状の挟持部２０２と、挟持部２０２に接続されて、導電部１０にスライド自在に連結される板状の脚部２０３と、脚部２０３に接続されて、突出付勢部２０５の付勢を受ける板状の腕部２０４とを有し、突出部２０１は、導電部１０の一方の面に対向する挟持部２０２の面に設けられる。
【００４８】
かかる構成によれば、脚部２０３は、導電部１０にスライド自在に連結されているので、挟持部２０２の導電部１０から離間又は接近する方向への移動を許す。圧着端子５２が仮固定部２０と導電部１０との間に挟入されると、突出部２０１は、圧着端子５２の端子部分５２１の先端に当接する。圧着端子５２が導電部１０と挟持部２０２との間にさらに挟入されると、挟持部２０２は、突出部２０１の長さと、端子部分５２１の厚さとに応じて、導電部１０から離間する方向に移動する。そして、圧着端子５２が導電部１０と挟持部２０２との間に挟入されると、突出部２０１は、導電部１０の面方向に直交する方向で、係合溝５２２と重なる。腕部２０４が突出付勢部２０５の付勢を受けることから、突出部２０１は、係合溝５２２に係合する方向に付勢される。これにより、突出部２０１は、係合溝５２２に係合することで、圧着端子５２を仮固定する。挟持部２０２は、突出部２０１と同様に導電部１０の一方の面に向けて付勢されるので、導電部１０とで圧着端子５２を挟持する。このように、圧着端子５２は、導電部１０及び挟持部２０２の間への挟入のみにより端子台１に仮固定され得る。したがって、圧着端子５２の仮固定が、簡単な作業のみで実現され得る。
【００４９】
次に、本発明に係る端子台１における第２の実施形態について、図７〜図１１を参照して説明する。なお、図７〜図１１において、図１〜図６の符号と同一の符号を付した部分は、第１実施形態と同一の構成又は要素を表す。
【００５０】
本実施形態に係る端子台１は、図７に示すように、第１の実施形態に係る端子台１の仮固定部２０がさらに、腕部２０４から導電部１０の他方の面に向けて付勢され、貫通孔１０１を介して突出部２０１に当接する長尺状の当接部２０６と、基部４０及び腕部２０４の間に設けられ、腕部２０４を導電部１０の他方の面に向けて付勢する腕部付勢部２０８とをさらに有する点で異なる。また、本実施形態に係る突出付勢部２０５は、当接部２０６及び腕部２０４の間に設けられる点で第１の実施形態に係る突出付勢部２０５と異なる。さらに、本実施形態に係る腕部２０４は、導電部１０の貫通孔１０１の軸方向に重なる位置に、当接部２０６を挿通可能な図示しない挿通孔を有する。その他の点は、第１の実施形態における端子台１と同様であるので、本実施形態では説明しない。
【００５１】
当接部２０６は、剛性を有し、導電部１０の貫通孔１０１と同径又はそれ以下の径で円柱状に構成される。当接部２０６は、突出部２０１に当接する一端を面取りして構成され、又は半球状となるように構成される。当接部２０６は、圧着端子５２を導電部１０及び挟持部２０２に挟入しない状態で、その先端で、突出部２０１の先端に当接する。より好ましくは、当接部２０６は、貫通孔１０１を介して導電部１０の一方の面から突出して、突出部２０１の先端に当接する。そして、当接部２０６は、長手方向中途部に、径外方向に突出する庇部２０７を有する。
【００５２】
庇部２０７は、導電部１０の他方の面に当接した状態で、貫通孔１０１を介して導電部１０の一方の面から当接部２０６の先端を突出させて、突出部２０１の先端に当接可能な位置に設けられる。庇部２０７は、導電部１０の他方の面に当接することで、導電部１０の他方の面から一方の面に向かう方向への抜けを抑止する。また、庇部２０７は、突出付勢部２０５の一端側に当接し又は接続される。
【００５３】
腕部付勢部２０８は、弾性体であり、例えば、ゴムやバネ等である。腕部付勢部２０８は、基部４０から腕部２０４を導電部１０の他方の面に向けて付勢する。腕部付勢部２０８は、突出付勢部２０５が突出部２０１を付勢する力よりも弱い力で腕部２０４を付勢する。
【００５４】
突出付勢部２０５は、その一端を、庇部２０７に当接し又は接続され、他端を腕部２０４に当接し又は接続される。突出付勢部２０５は、当接部２０６を導電部１０の他方の面から一方の面に向かう方向に付勢する。
【００５５】
挿通孔２０９は、腕部２０４の板厚方向に貫通する貫通孔又は腕部２０４の一端から切り欠けられた切り欠けとして設けられる。挿通孔２０９は、導電部１０及び挟持部２０２の間への圧着端子５２の挟入により、圧着端子５２の接続端子の先端により押し下げられた当接部２０６を挿通可能に構成される。本実施形態においては、挿通孔２０９は、貫通孔として設けられる。
【００５６】
本実施形態に係る端子台１の構成は以上の通りであり、次に、本実施形態に係る端子台１の作用について説明する。
【００５７】
図７に示すように、圧着端子５２を挟持しない状態の端子台１では、突出付勢部２０５の付勢により、突出部２０１は、導電部１０の貫通孔１０１に嵌入されない状態、すなわち、突出部２０１は、導電部１０の一方の面から離間した状態に維持される。当接部２０６は、突出付勢部２０５により付勢されて、庇部２０７を導電部１０の他方の面に当接した状態で、その先端で突出部２０１の先端に当接する。端子ネジ３０２は、挟持部２０２から離間した状態に維持される。
【００５８】
図８に示すように、圧着端子５２が端子台１に固定される際、圧着端子５２は、導電部１０の一方の面と、挟持部２０２との間に位置される。そして、圧着端子５２は、導電部１０及び挟持部２０２の間に挟入される。
【００５９】
図９に示すように、圧着端子５２の端子部分５２１の先端が突出部２０１の位置まで挟入されると、突出部２０１は、圧着端子５２の端子部分５２１の先端の厚さに応じて、導電部１０の一方の面から離間する方向に移動する。このとき、突出部２０１がその先端を面取りされている（半球状に形成されている）ことから、圧着端子５２の端子部分５２１の先端は、突出部２０１を導電部１０の一方の面から離間する方向に容易に移動され得る。
【００６０】
また、当接部２０６は、圧着端子５２の端子部分５２１を導電部１０の一方の面に当接することで、導電部１０の一方の面から他方の面に向けて押し込まれる。具体的に、当接部２０６は、その先端を圧着端子５２の端子部分５２１に当接することで、導電部１０の一方の面にその先端を一致させる位置まで押し込まれる。このとき、当接部２０６がその先端を面取りされている（半球状に形成されている）ことから、圧着端子５２の端子部分５２１の先端は、突出部２０１を導電部１０の一方の面と一致する位置まで容易に押し込まれ得る。また、突出部２０１の先端は、当接部２０６の先端の位置に応じて貫通孔１０１の位置から離れた位置に置かれているので、圧着端子５２の端子部分５２１の先端は、挟入方向に容易に挟入され得る。
【００６１】
図１０に示すように、圧着端子５２の係合溝５２２が導電部１０の貫通孔１０１及び突出部２０１に重なる位置まで挟入されると、突出付勢部２０５の付勢により、腕部２０４は、導電部１０の他方の面に対して離間する方向に移動する。これに伴い、脚部２０３は、導電部１０の一方の面から他方の面に向けてスライドする。また、挟持部２０２は、導電部１０の一方の面に接近する方向に移動する。突出部２０１は、導電部１０の一方の面に接近する方向に移動する。これにより、突出部２０１は、圧着端子５２の係合溝５２２に嵌入する。したがって、突出部２０１は、圧着端子５２の係合溝５２２に係合する。
【００６２】
また、当接部２０６は、突出付勢部２０５の庇部２０７への付勢により、導電部１０の他方の面から一方の面に向けて移動する。これにより、当接部２０６の先端は、圧着端子５２の係合溝５２２に嵌入する。したがって、当接部２０６の先端も、圧着端子５２の係合溝５２２に係合する。
【００６３】
この状態で、突出部２０１及び当接部２０６は、突出付勢部２０５による付勢により、圧着端子５２の係合溝５２２に係合した状態に維持される。したがって、圧着端子５２は、導電部１０及び挟持部２０２の間に挟持された状態に維持され、仮固定される。
【００６４】
図１１に示すように、端子ネジ３０２が雌ネジに対して螺合されると、端子ネジ３０２の先端は、挟持部２０２の一方の面を押圧する。これにより、圧着端子５２は、端子台１に固定される。
【００６５】
以上より、本実施形態に係る端子台１において、導電部１０が突出部２０１の突出位置に対向する位置に貫通孔１０１を有しており、仮固定部２０は、脚部２０３から導電部１０の他方の面に向けて付勢され、貫通孔１０１を介して突出部２０１に当接する長尺状の当接部２０６をさらに有する。
【００６６】
かかる構成によれば、圧着端子５２が導電部１０と挟持部２０２との間に挿入される前には、当接部２０６は、突出付勢部２０５により脚部２０３から導電部１０の他方の面に付勢され、貫通孔１０１を介して突出部２０１に当接する。圧着端子５２が導電部１０と挟持部２０２との間で突出部２０１の位置まで挟入されると、突出部２０１は、圧着端子５２の端子部分５２１の厚さに応じて導電部１０の一方の面から離間する方向に移動する。また、当接部２０６の先端部分は、圧着端子５２の端子部分５２１に押される形で、導電部１０の貫通孔１０１内に押し込まれる。そして、圧着端子５２の係合溝５２２が突出部２０１の位置まで挟入されると、突出部２０１及び当接部２０６は、圧着端子５２の係合溝５２２を介して再び当接する。これにより、突出部２０１及び当接部２０６は、協働して圧着端子５２を端子台１に仮固定する。したがって、圧着端子５２の仮固定が、簡単な作業のみで実現され得るとともに、仮固定を強固なものとして、仮固定が確実にされたか否かが容易に判断され得る。
【００６７】
また、本実施形態に係る端子台１は、導電部１０、圧着部材、及び仮固定部２０を収容する基部４０をさらに備え、仮固定部２０は、基部４０及び脚部２０３の間に設けられ、脚部２０３を導電部１０の他方の面に向けて付勢する腕部付勢部２０８をさらに有し、腕部付勢部２０８は、突出付勢部２０５が当接部２０６を付勢する力よりも弱い力で脚部２０３を付勢してもよい。
【００６８】
かかる構成によれば、腕部付勢部２０８が突出付勢部２０５よりも弱い力で脚部２０３を付勢することにより、圧着端子５２が導電部１０及び挟持部２０２の間に挟入されていない状態では、突出付勢部２０５の付勢により、突出部２０１と当接部２０６とが当接した状態に維持される。一方、圧着端子５２が導電部１０及び挟持部２０２の間に挟入され、圧着端子５２の端子部分５２１が突出部２０１の位置まで挟入されると、突出部２０１は、腕部付勢部２０８の付勢により、導電部１０から離間する方向に容易に移動する。そして、圧着端子５２の係合溝５２２が当接部２０６の位置まで挟入されると、突出部２０１及び当接部２０６は、係合溝５２２を介して当接した状態に維持される。これにより、圧着端子５２の挟入が容易に実現され得るとともに、仮固定を強固なものとして、仮固定が確実にされたか否かが容易に判断され得る。
【００６９】
なお、本発明に係る端子台１は、上記した実施の形態に限定されるものではなく、本発明の要旨を逸脱しない範囲内において種々変更を加え得ることは勿論である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００７０】
例えば、上記実施形態に係る端子台１おいては、圧着部３０が端子ネジ３０２を有する構成として説明したが、バネ等の弾性体を利用して挟持部２０２を圧着する構成など、挟持部２０２を圧着する構成であれば、種々の構成を採用してよい。すなわち、挟持部２０２を確実に圧着する構成であれば、圧着部３０はどのような構成であってもよい。
【００７１】
また、上記実施形態に係る突出付勢部２０５及び腕部付勢部２０８においては、コイルネジを例として説明したが、コイルネジの巻き数、材料、巻き径を種々変更して弾性力を変更することができる。これにより、圧着端子５２の挟入のしやすさを調整してもよい。
【００７２】
また、上記実施形態に係る仮固定部２０においては、導電性材料で形成される例で説明したが、これに限定されず、非導電材料で形成されてもよい。
【００７３】
また、上記実施形態に係る挟持部２０２においては、板状である例として説明したが、突出部２０１の脚部２０３端縁から脚部２０３にかけて徐々に厚くする構成としてもよい。このとき、圧着端子５２の端子部分５２１の先端から係合溝５２２にかけての長さ分、突出部２０１の端縁から脚部２０３に寄った位置から徐々に厚くする構成としてもよい。これにより、圧着端子５２が突出部２０１に係合していない場合、圧着端子５２は、端子ネジ３０２が挟持部２０２の一方の面を押圧したときに、導電部１０及び挟持部２０２の間から押し出される。したがって、圧着端子５２が仮固定されていないことを容易に報知することができる。また、端子ネジ３０２が、挟持部２０２の一方の面のうち、脚部２０３により近い位置を押圧するようにすることで、圧着端子５２の押し出しを確実にすることができる。
【００７４】
また、上記実施形態に係る脚部２０３においては、単に板状として説明したが、脚部２０３は、圧着端子５２の係合溝５２２の先端側端縁から、端子部分５２１の先端側端縁までの長さに応じた厚さを有してもよい。すなわち、圧着端子５２が突出部２０１に係合したときに、端子部分５２１の先端が、腕部２０３の面に当接するように、脚部２０３は、その厚さを決定されてもよい。これにより、圧着端子５２は、導電部１０及び挟持部２０２の間に十分に挟入され、腕部２０３に当接した状態で仮固定されるので、圧着端子５２の仮固定をより容易にすることができるとともに、圧着端子５２の接触不良をより容易に防止することができる。
【００７５】
また、上記実施形態に係る端子台１は、圧着端子５２を固定していない状態で、導電部１０の長手方向中間点を通り、両面に直交する線分で線対称となるように、導電部１０、仮固定部２０、保持部３０１、及び基部４０を備えているとしたが、一方の構成を第１の実施形態に係る端子台１とし、他方の構成を第２の実施形態に係る端子台１としてもよい。また、上記実施形態に係る構成を有し、作用を奏するのであれば、双方が線対称とならない構成であっても構わない。
【００７６】
また、上記実施形態に係る端子台１は、挟持部２０２の板厚方向に図示しない１又は複数の貫通孔を有してもよい。これにより、圧着端子５２が導電部１０及び挟持部２０２に挟入されたときに、係合溝５２２の位置を視認しながら、突出部２０１及び係合溝５２２を係合することができる。
【００７７】
また、上記実施形態に係る仮固定部２０は、挟持部２０２、脚部２０３、及び腕部２０４を接続するとしたが、一枚板を屈曲させることで構成される態様も含む。
【００７８】
また、第１の実施形態に係る導電部１０の貫通孔１０１においては、貫通孔１０１に限らず、突出部２０１の先端を嵌入可能な凹部として構成されてもよい。凹部は、突出部２０１の形状に合わせて形成されても良く、さらには、貫通孔１０１を設けずともよい。このようにすることでも、圧着端子５２を容易に仮固定することができる。
【００７９】
また、第２の実施形態に係る当接部２０６及び腕部付勢部２０８は、何れか一方のみを用いて構成されてもよい。このようにすることでも、圧着端子５２を容易に仮固定することができる。
【００８０】
また、第２の実施形態に係る突出部２０１及び当接部２０６は、接触により音の鳴りやすいように構成されてもよい。例えば、突出部２０１及び当接部２０６は、より剛性の高い金属や、プラスチック等の有機素材を利用して作成され得る。また、突出付勢部２０５及び腕部付勢部２０８の弾性力を調整することで、係合溝５２２に係合する突出部２０１及び当接部２０６の衝突音を大きくすることができる。これにより、圧着端子５２の係合溝５２２に、突出部２０１及び当接部２０６が係合したことを音を利用して報知することができる。
【符号の説明】
【００８１】
１…端子台、１０…導電部、２０…仮固定部、３０…圧着部、４０…基部、５１…電線、５２…圧着端子、１００…多極型端子台、１０１…貫通孔、２０１…突出部、２０２…挟持部、２０３…脚部、２０４…腕部、２０５…突出付勢部、２０６…当接部、２０７…庇部、２０８…腕部付勢部、３０１…保持部、３０２…端子ネジ、５２１…端子部分、５２２…係合溝
【図１】
2014127448.tif 000003
【図２】
2014127448.tif 000004
【図３】
2014127448.tif 000005
【図４】
2014127448.tif 000006
【図５】
2014127448.tif 000007
【図６】
2014127448.tif 000008
【図７】
2014127448.tif 000009
【図８】
2014127448.tif 000010
【図９】
2014127448.tif 000011
【図１０】
2014127448.tif 000012
【図１１】
2014127448.tif 000013